(57)【特許請求の範囲】
【請求項１】
印刷体として綴じられる複数の印刷媒体のそれぞれに対し、当該印刷媒体の少なくとも第１の主面に設けられる第１アンテナ部と、
前記印刷媒体の厚み方向に設けられ、当該印刷媒体に設けられる前記第１アンテナ部と当該印刷媒体に重なる印刷媒体の第２アンテナ部とを直接導通させて接続可能な接続部と、
前記印刷体に設けられ、前記印刷媒体の少なくともいずれか一つの印刷媒体の接続部または前記第１アンテナ部のうち少なくともいずれかに接続されるＩＣチップと
を有する印刷体。
【請求項２】
印刷体として綴じられる３枚以上の印刷媒体のそれぞれに対し、当該印刷媒体の少なくとも第１の主面に設けられる第１アンテナ部と、
前記印刷媒体の厚み方向に設けられ、当該印刷媒体に設けられる前記第１アンテナ部と当該印刷媒体に重なる印刷媒体の第２アンテナ部とを接続可能な接続部と、
前記印刷体に設けられ、前記印刷媒体の少なくともいずれか一つの印刷媒体の接続部または前記第１アンテナ部のうち少なくともいずれかに接続されるＩＣチップと
を有する印刷体。
【請求項３】
前記第１アンテナ部と前記第２アンテナ部のうち少なくともいずれか１つは、印刷によって形成される
請求項１または請求項２記載の印刷体。
【請求項４】
前記接続部に対応した印刷媒体のページが開かれたか否かに応じて、開かれたページどうしにおける前記第１アンテナ部と前記第２アンテナ部との間の接続状態が接続または切断される
請求項１から請求項３のうちいずれか１項に記載の印刷体。
【請求項５】
受信信号特性と印刷体におけるページ識別情報との関係を表す相関データを記憶する相関データ記憶部と、
印刷体のＲＦＩＤタグから電波を受信する受信部と、
前記受信した電波の受信信号特性と前記相関データとに基づいて、前記印刷体の開かれたページに対応するページ識別情報を得る判定部と
を有し、
前記印刷体は、複数の印刷媒体が綴じられており、当該印刷媒体に設けられる第１アンテナ部と当該印刷媒体に重なる印刷媒体の第２アンテナ部とを直接導通させて接続可能な接続部を有し、
受信信号特性は、前記受信した電波の受信信号の強度である
印刷体管理装置。
【請求項６】
閲覧情報記憶部と、
前記得られたページ識別情報と当該ページ識別情報が得られた時間とを対応付けて前記閲覧情報記憶部に記憶する閲覧情報管理部
を有する請求項５記載の印刷体管理装置。
【請求項７】
前記受信部は、複数の前記印刷体のＲＦＩＤタグから送信される電波を受信し、
前記判定部は、それぞれのＲＦＩＤタグから送信される電波の受信信号特性に基づいて、それぞれの印刷体の開かれたページに対応するページ識別情報を得る
請求項５または請求項６記載の印刷体管理装置。
【請求項８】
前記相関データは、前記印刷体のページが閉じられた状態において当該印刷体のＲＦＩＤタグから送信される電波の受信信号特性を基準とし、開かれるページのそれぞれについての受信信号特性を表す情報である
請求項５から請求項７のうちいずれか１項に記載の印刷体管理装置。
【請求項９】
前記得られたページ識別情報を出力する出力部
を有する請求項５から請求項８のうちいずれか１項に記載の印刷体管理装置。
【請求項１０】
前記ページ識別情報と実行内容とを記憶する記憶部と、
前記得られたページ識別情報に対応する実行内容を前記記憶部から読み出し、読み出した実行内容に従って実行する制御部
を有する請求項５から請求項９のうちいずれか１項に記載の印刷体管理装置。
【請求項１１】
請求項９記載の印刷体管理装置と、
情報出力装置とを有する情報出力システムであり、
前記情報出力装置は、
前記印刷体管理装置から送信されるページ識別情報を受信する受信部と、
前記ページ識別情報とコンテンツとを記憶するコンテンツ記憶部と、
前記ページ識別情報を受信すると、当該ページ識別情報に応じたコンテンツを前記コンテンツ記憶部から読み出して出力するコンテンツ出力部と
を有する情報出力システム。
【請求項１２】
印刷体として綴じられる複数の印刷媒体のそれぞれに対し、当該印刷媒体の少なくとも第１の主面から前記印刷媒体の側面にわたって設けられるアンテナ部が、前記印刷媒体のうち他の印刷媒体と重なることで、前記他の印刷媒体のアンテナ部と直接導通させて、前記アンテナ部の長さを変更するステップと、
前記変更されたアンテナの長さに応じたアンテナを介してＩＣチップが通信を行うステップと
を有する電子タグの通信方法。
【請求項１３】
印刷体として綴じられる３枚以上の印刷媒体のそれぞれに対し、当該印刷媒体の少なくとも第１の主面から前記印刷媒体の側面にわたって設けられるアンテナ部が、前記印刷媒体のうち他の印刷媒体と重なることで、前記アンテナ部の長さを変更するステップと、
前記変更されたアンテナの長さに応じたアンテナを介してＩＣチップが通信を行うステップと
を有する電子タグの通信方法。
【請求項１４】
印刷体のＲＦＩＤタグから電波を受信する受信ステップと、
受信信号特性と印刷体におけるページ識別情報との関係を表す相関データを記憶する相関データ記憶部を参照し、前記受信した電波の受信信号特性と前記相関データとに基づいて、前記印刷体の開かれたページに対応するページ識別情報を得る判定ステップ
を有し、
前記印刷体は、複数の印刷媒体が綴じられており、当該印刷媒体に設けられる第１アンテナ部と当該印刷媒体に重なる印刷媒体の第２アンテナ部とを直接導通させて接続可能な接続部を有し、
受信信号特性は、前記受信した電波の受信信号の強度である
印刷体のページ識別方法。
【発明の詳細な説明】
【技術分野】
【０００１】
本発明は、製本化された印刷媒体のユーザー閲覧状況を検知し、印刷媒体を用いてコンピュータの処理を行うことが可能な印刷体、印刷体管理装置、情報出力システム、電子タグの通信方法、印刷体のページ識別方法システムに関する。
【背景技術】
【０００２】
現在、印刷媒体とコンピュータ上のソフトウェアを直接的に連携させる方法として、印刷面を画像認識し、それに対応する情報提示をソフトウェア上でリアルタイムに行うＡＲ技術を活用した方法がある。この方法は印刷媒体に特別な装置を取り付ける必要なくデジタルとアナログ、両者の特長を活かし効果的な情報提示方法として普及している。この技術を用いることで、例えば、印刷媒体の印刷内容に関連性のある画像や映像などの付加的情報について、ソフトウェアを用いて情報提示することで、印刷媒体の印刷内容に対して情報を補間することが出来る。しかし、印刷面を画像認識する操作をユーザーが行わなければならないため、ユーザーにとっては使用時の煩わしさがある。一方、この印刷媒体とコンピュータとの連携をより直感的かつ円滑に行うため、小型のセンサー装置や情報処理装置などを印刷媒体に直接取り付け、ユーザーの閲覧状態を測定する方法も考えられるが、現状では製造コスト面の問題があり、また、意匠性を損なう場合がある。
【０００３】
ここで、印刷媒体とコンピュータとの直接的な連携を、低コストかつ高い適用汎用性で実現する方法の一つとしてＲＦ（ｒａｄｉｏ  ｆｒｅｑｕｅｎｃｙ）通信技術の活用が考えられる。ＲＦ技術を用いる場合、例えば、製本された印刷媒体のページにＲＦＩＤ（Ｒａｄｉｏ  Ｆｒｅｑｕｅｎｃｙ  Ｉｄｅｎｔｉｆｉｃａｔｉｏｎ）タグを貼り付け、ＲＦセンサーによってそのＲＦＩＤタグを自動認識することで、ユーザーが閲覧しているページを検知して適切な情報を提示する方法が考えられる。このＲＦ技術のメリットは、印刷媒体側の装置が安価で、電源が必要なく無線通信が可能な点である。また、ユーザー側において特別な操作を行う必要がない。
【０００４】
一方、特許文献１では、印刷媒体に綴じられている複数のリーフレットそれぞれにＲＦＩＤタグを付加し、ユーザーにより一つのリーフレットが開かれている状態では、タグに付属する感光装置によって他のリーフレットのＲＦＩＤタグが不活性状態となる構造で印刷媒体とＲＦセンサー装置の連携を可能としている。また、もう一つの方法として製本印刷物の綴じ部分のページが開かれた状態を光学センサーによって画像認識し、ユーザーが開いているページを推定する装置が提案されている。
【先行技術文献】
【特許文献】
【０００５】
【特許文献１】特表２００９−５０７３０１号公報
【発明の概要】
【発明が解決しようとする課題】
【０００６】
しかしながら、上述した技術においては、１つの印刷媒体を形成するリーフレット毎にＲＦＩＤタグを設けなければならないため、数多くのＲＦＩＤタグを使用しなければならず、製造コストが増大するとともに、印刷媒体の意匠性が損なわれやすいという課題が残る。
【０００７】
本発明は、このような事情に鑑みてなされたもので、その目的は、識別する対象のページ数よりも少ない数のＲＦＩＤタグを用い、意匠性が損なわれてしまうことを低減して印刷体が開かれているページを識別することができる印刷体、印刷体管理装置、情報出力システム、電子タグの通信方法、印刷体のページ識別方法を提供することである。
【課題を解決するための手段】
【０００８】
上述した課題を解決するために、本発明は、印刷体として綴じられる複数の印刷媒体のそれぞれに対し、当該印刷媒体の少なくとも第１の主面に設けられる第１アンテナ部と、前記印刷媒体の厚み方向に設けられ、当該印刷媒体に設けられる前記第１アンテナ部と当該印刷媒体に重なる印刷媒体の第２アンテナ部とを直接導通させて接続可能な接続部と、前記印刷体に設けられ、前記印刷媒体の少なくともいずれか一つの印刷媒体の接続部または前記第１アンテナ部のうち少なくともいずれかに接続されるＩＣチップとを有する印刷体である。
また、本発明は、印刷体として綴じられる３枚以上の印刷媒体のそれぞれに対し、当該印刷媒体の少なくとも第１の主面に設けられる第１アンテナ部と、前記印刷媒体の厚み方向に設けられ、当該印刷媒体に設けられる前記第１アンテナ部と当該印刷媒体に重なる印刷媒体の第２アンテナ部とを接続可能な接続部と、前記印刷体に設けられ、前記印刷媒体の少なくともいずれか一つの印刷媒体の接続部または前記第１アンテナ部のうち少なくともいずれかに接続されるＩＣチップとを有する印刷体である。
【０００９】
また、本発明は、上述の印刷体において、前記第１アンテナ部と前記第２アンテナ部のうち少なくともいずれか１つは、印刷によって形成される。
また、本発明は、上述の印刷体において、前記接続部に対応した印刷媒体のページが開かれたか否かに応じて、開かれたページどうしにおける前記第１アンテナ部と前記第２アンテナ部との間の接続状態が接続または切断される。
【００１０】
また、本発明は、受信信号特性と印刷体におけるページ識別情報との関係を表す相関データを記憶する相関データ記憶部と、印刷体のＲＦＩＤタグから電波を受信する受信部と、前記受信した電波の受信信号特性と前記相関データとに基づいて、前記印刷体の開かれたページに対応するページ識別情報を得る判定部と、を有し、前記印刷体は、複数の印刷媒体が綴じられており、当該印刷媒体に設けられる第１アンテナ部と当該印刷媒体に重なる印刷媒体の第２アンテナ部とを直接導通させて接続可能な接続部を有し、受信信号特性は、前記受信した電波の受信信号の強度である、印刷体管理装置である。
また、本発明は、上述の印刷体管理装置において、閲覧情報記憶部と、前記得られたペ
ージ識別情報と当該ページ識別情報が得られた時間とを対応付けて前記閲覧情報記憶部に
記憶する閲覧情報管理部と、を有する。
【００１１】
また、本発明は、上述の印刷体管理装置において、前記受信部は、複数の前記印刷体のＲＦＩＤタグから送信される電波を受信し、前記判定部は、それぞれのＲＦＩＤタグから送信される電波の受信信号特性に基づいて、それぞれの印刷体の開かれたページに対応するページ識別情報を得る。
また、本発明は、上述の印刷体管理装置において、前記相関データは、前記印刷体のページが閉じられた状態において当該印刷体のＲＦＩＤタグから送信される電波の受信信号特性を基準とし、開かれるページのそれぞれについての受信信号特性を表す情報である。
【００１２】
また、本発明は、上述の印刷体管理装置において、前記得られたページ識別情報を出力する出力部を有する。
また、本発明は、上述の印刷体管理装置において、前記ページ識別情報と実行内容とを記憶する記憶部と、前記得られたページ識別情報に対応する実行内容を前記記憶部から読み出し、読み出した実行内容に従って実行する制御部を有する。
【００１３】
また、本発明は、印刷体管理装置と、情報出力装置とを有する情報出力システムであり、前記情報出力装置は、前記印刷体管理装置から送信されるページ識別情報を受信する受信部と、前記ページ識別情報とコンテンツとを記憶するコンテンツ記憶部と、前記ページ識別情報を受信すると、当該ページ識別情報に応じたコンテンツを前記コンテンツ記憶部から読み出して出力するコンテンツ出力部を有する。
【００１４】
また、本発明は、印刷体として綴じられる複数の印刷媒体のそれぞれに対し、当該印刷媒体の少なくとも第１の主面から前記印刷媒体の側面にわたって設けられるアンテナ部が、前記印刷媒体のうち他の印刷媒体と重なることで、前記他の印刷媒体のアンテナ部と直接導通させて、前記アンテナ部の長さを変更するステップと、前記変更されたアンテナの長さに応じたアンテナを介してＩＣチップが通信を行うステップとを有する電子タグの通信方法である。
また、本発明は、印刷体として綴じられる３枚以上の印刷媒体のそれぞれに対し、当該印刷媒体の少なくとも第１の主面から前記印刷媒体の側面にわたって設けられるアンテナ部が、前記印刷媒体のうち他の印刷媒体と重なることで、前記アンテナ部の長さを変更するステップと、前記変更されたアンテナの長さに応じたアンテナを介してＩＣチップが通信を行うステップとを有する電子タグの通信方法である。
【００１５】
また、本発明は、印刷体のＲＦＩＤタグから電波を受信する受信ステップと、受信信号特性と印刷体におけるページ識別情報との関係を表す相関データを記憶する相関データ記憶部を参照し、前記受信した電波の受信信号特性と前記相関データとに基づいて、前記印刷体の開かれたページに対応するページ識別情報を得る判定ステップを有し、前記印刷体は、複数の印刷媒体が綴じられており、当該印刷媒体に設けられる第１アンテナ部と当該印刷媒体に重なる印刷媒体の第２アンテナ部とを直接導通させて接続可能な接続部を有し、
受信信号特性は、前記受信した電波の受信信号の強度である、印刷体のページ識別方法である。
【００１６】
このように、本発明の一態様は、無線周波数（ＲＦ）技術を利用するものであり、製本された印刷媒体のページ閲覧情報を検知する装置を用いる。また、その検知情報を利用しユーザーが印刷媒体をインターフェースにしてコンピュータ上のソフトウェア操作を実現するプログラムを有するシステムである。また、本システムにおいては、印刷媒体に安価なＲＦＩＤタグとアンテナを付加し、ユーザーがページを開く毎にアンテナ線の長さが変化する配線構造を持たせ、電波受信特性の変化を利用し、ユーザーが閲覧している印刷媒体のページを検知する仕組みを有する。
【発明の効果】
【００１７】
以上説明したように、この発明によれば、識別する対象のページ数よりも少ない数のＲＦＩＤタグを用い、意匠性が損なわれてしまうことを低減して印刷体が開かれているページを識別することができる。
【図面の簡単な説明】
【００１８】
【図１】本発明の一実施形態による情報出力システム１の構成を示す概略構成図である。
【図２】入力装置１０の機能を説明する概略ブロック図である。
【図３】印刷体１２０の外観の概略を表す斜視図である。
【図４】入力装置１０が取り付けられた印刷体１２０の下面側から見た場合における模式的な下面図である。
【図５】印刷媒体を正面側から見た正面図である。
【図６】印刷媒体１２１１をめくる段階における印刷体１２０の一部を下面側から見た模式的な下面図である。
【図７】印刷媒体１２１１の裏面側のページを正面からみた正面図である。
【図８】入力装置１０と受信装置２０との関係を説明する概念図である。
【図９】受信装置２０、情報管理装置３０、情報出力装置４０の機能を説明する概略機能ブロック図である。
【図１０】相関データ記憶部３１０に記憶される相関データの一例を示す図である。
【図１１】受信信号特性とページの関係を示すグラフである。
【図１２】ページとアンテナ部との関係を説明する模式的な回路図である。
【図１３】情報出力システム１の動作を説明するシーケンス図である。
【発明を実施するための形態】
【００１９】
以下、本発明の一実施形態による情報出力システムについて図面を参照して説明する。
図１は、この発明の一実施形態による情報出力システム１の構成を示す概略構成図である。
情報出力システム１は、入力装置１０、受信装置２０、情報管理装置３０、情報出力装置４０を含んで構成される。
入力装置１０は、ユーザーによって操作される。この入力装置１０は、ＲＦＩＤタグを備え複数のページを有する。以下、入力装置１０を印刷体と称する場合もある。受信装置２０は、入力装置１０へ情報送信の問い合わせをするための送信を行い、この問い合わせに応じて入力装置１０のＲＦＩＤタグから送信される電波を受信する。情報管理装置３０は、受信装置２０が受信した電波の受信信号特性に応じたコンテンツを情報出力装置４０に出力する。情報出力装置４０は、情報管理装置３０から出力されたコンテンツを画面上に表示したり、音声によって出力したりする。この情報出力装置４０は、例えばディスプレイ装置や、プロジェクタ、スピーカ等を用いることができる。
【００２０】
次に、情報出力システム１についてさらに説明する。
図２は、入力装置１０の機能を説明する概略ブロック図である。入力装置１０は、製本化された印刷体に取り付けられる。この入力装置１０は、一冊の印刷体に少なくとも一つ設けられるものであり、例えば、１冊の印刷体に１つ設けられる。入力装置１０は、ＩＣチップ１１０とアンテナ部１１１とを有する。また、入力装置１０は、ＩＣチップ１１０とアンテナ部１１１と印刷体とを含んで構成することもできる。また、印刷体がＩＣチップ１１０とアンテナ部１１１とを有する構成とすることもできる。印刷体としては、例えば、書籍、雑誌、パンフレット、カタログ、帳票等である。
【００２１】
ＩＣチップ１１０は、印刷体のいずれかの箇所に取り付けられ、例えば、表紙や背表紙などページ以外の部位に取り付けられる。ＩＣチップ１１０は、複数あるＩＣチップ１１０のそれぞれを識別する個体識別情報が記憶されている。このＩＣチップ１１０は、ＲＦ通信技術が適用される。また、ＩＣチップ１１０は、アンテナ部との組み合わせにより、ＲＦＩＤタグとして機能する。ＲＦＩＤタグとしては、パッシブタグまたはアクティブタグが用いられる。以下の実施形態においては、入力装置１０のＲＦＩＤタグとして、パッシブタグを適用する場合を例として説明する。
【００２２】
アンテナ部１１１は、印刷媒体の各ページに設けられ、ＩＣチップ１１０に接続される。
【００２３】
図３は、印刷体１２０の外観の概略を表す斜視図である。この図において、印刷体１２０は、印刷体１２０のうちのいずれかのページをユーザーがめくる状態を表している。印刷体１２０の背表紙とは反対側の一端側には、ＩＣチップ１１０が設けられている。アンテナ部１１１は、各ページに設けられており、そのうち、閉じられたページに設けられている箇所がＩＣチップ１１０と接続され、受信装置２０との間で電波の送受信を行う。
【００２４】
図４は、入力装置１０が取り付けられた印刷体１２０の下面側から見た場合における模式的な下面図である。
印刷体１２０は、表紙１２０１と裏表紙１２０２との間に複数の印刷媒体１２１１、印刷媒体１２１２、印刷媒体１２１３、印刷媒体１２１４が重ね合わされており、背表紙１２０３を介してそれぞれ綴じられており、１冊の本として構成されている。表紙１２０１、背表紙１２０３、裏表紙１２０２、印刷媒体１２１１、印刷媒体１２１２、印刷媒体１２１３、印刷媒体１２１４は、いずれも非導電性の特性を有しており、例えば、紙が用いられる。
【００２５】
表紙１２０１のうち、印刷体１２０が閉じられたときに印刷媒体１２１１と重なる面には、アンテナ部１１１０が設けられる。印刷媒体１２１１には、アンテナ部１１１１、印刷媒体１２１２には、アンテナ部１１１２、印刷媒体１２１３には、アンテナ部１１１３、印刷媒体１２１４には、アンテナ部１１１４が設けられる。裏表紙１２０２は、印刷体１２０が閉じられたときに印刷媒体１２１４と重なる面には、アンテナ部１１１５とＩＣチップ１１０が設けられる。
【００２６】
アンテナ部１１１０は、印刷体１２０が閉じられたときに印刷媒体１２１１と重なる面において、背表紙１２０３とは反対側の一端側に設けられ、印刷体１２０が閉じられたときに少なくとも一部がアンテナ部１１１１と重なるように形成される。
アンテナ部１１１１は、印刷媒体１２１１のうち、印刷体が閉じられたときに表紙１２０１と重なる面から、印刷媒体１２１１の側面部にわたって配線される。
同様に、アンテナ部１１１２は、印刷媒体１２１２のうち、印刷体が閉じられたときに印刷媒体１２１１と重なる面から、印刷媒体１２１２の側面部にわたって配線される。
アンテナ部１１１３は、印刷媒体１２１３のうち、印刷体が閉じられたときに印刷媒体１２１２と重なる面から、印刷媒体１２１３の側面部にわたって配線される。
アンテナ部１１１４は、印刷媒体１２１４のうち、印刷体が閉じられたときに印刷媒体１２１３と重なる面から、印刷媒体１２１４の側面部にわたって配線される。
アンテナ部１１１５は、印刷体１２０が閉じられたときに裏表紙１２０２と重なる面に設けられる。また、アンテナ部１１１５の一端は、ＩＣチップ１１０に接続される。ＩＣチップ１１０は、裏表紙１２０２のうち、背表紙１２０３とは反対側の一端側に設けられ、印刷体１２０が閉じられたときに印刷媒体とは重ならない位置に設けられる。
【００２７】
例えば、印刷媒体１２１１と印刷媒体１２１２とが重ならないように、見開きの一方（開かれた状態の表紙１２０１）へ印刷媒体１２１１が開かれた場合、アンテナ部１１１０、アンテナ部１１１１は、ＩＣチップ１１０との接続が切断された状態となり、一方、アンテナ部１１１２、アンテナ部１１１３は、印刷媒体１２１２、印刷媒体１２１３、印刷媒体１２１４、裏表紙１２０２が重なっているため、アンテナ部１１１４に接続された状態となる。このように、裏表紙１２０２に対して印刷媒体が重なると、アンテナ部の少なくともいずれかの配線が環状に重なり、互いに接続され、ＩＣチップ１１０に接続される。
【００２８】
また、別のページが開かれると、そのページのアンテナ部の接続点（両端点）がその開かれたページに隣接する印刷媒体におけるアンテナ部との配線が切断される。一方、閉じられたページにおける印刷媒体におけるアンテナ部は、いずれも、他の印刷媒体によって接続点以外の部位においては、絶縁される開かれたページの反対側の印刷媒体によって互いに絶縁される。
【００２９】
このように、見開きのうちＩＣチップ１１０が設けられた裏表紙１２０２に印刷媒体が積み重なることで、その積み重ねられたそれぞれの印刷媒体のアンテナ部どうしが接続されて複数の環状配線が形成される。これにより、ＩＣチップ１１０に対して接続されるアンテナ部全体の長さが変わる。すなわち、閲覧ページに応じてアンテナ線の長さが変化する。このアンテナの長さの変化によって受信装置２０へ返す信号強度の変化を実現させる。このアンテナ部は、どのページで開いても裏表紙１２０２に積み重ねられた印刷媒体におけるアンテナ部の配設について、ＩＣチップ１１０の導電性が担保され、また、ＩＣチップ１１０に連結するページの重なりとは反対側の各印刷媒体との非導電性も担保される。
【００３０】
図５は、印刷媒体を正面側から見た正面図である。ここでは、印刷媒体が、図４における印刷媒体１２１１の表面側のページである場合を例として説明する。印刷媒体１２１１は、例えば、紙であり、和紙、西洋紙等の印刷可能な媒体が用いられる。印刷媒体１２１１の上端側、下端側、左端側、右端側のそれぞれに沿うように、アンテナ部１１１１が配置される。背表紙１２０３とは反対側の端部側（例えば右端部側）の上端側及び下端側において、右端部に沿って延びるアンテナ部１１１１の一部が印刷媒体１２１１の右端部に到達するように延びる延長部１１１１ａ、延長部１１１１ｂが設けられている。この延長部１１１１ａ、延長部１１１１ｂは、印刷媒体１２１１の側面側において、厚み方向に沿って設けられる。印刷コンテンツ１２１１ａは、例えば文字や写真、図形等であり、アンテナ部１１１１の内周側に収まるように印刷される。このように、アンテナ部１１１１は、印刷コンテンツ１２１１ａと重ならない位置に設けられることによって、意匠性が損なわれにくいようになっている。例えば、印刷コンテンツ１２１１ａの外周側に沿って設けられることによって、印刷コンテンツ１２１１ａの一部であるかのようにも見せることも可能となり、意匠性を向上させることもできる。
【００３１】
この図においては、アンテナ部１１１１の構成について説明したが、アンテナ部１１１２、アンテナ部１１１３、アンテナ部１１１４についても同様の構成としてもよい。
アンテナ部１１１０については、アンテナ部１１１１の形状の左右の向きが反対とされた形状にすることができる。この場合、アンテナ部１１１０の上端側の延長部と下端側の延長部は、印刷体１２０が閉じられたときにアンテナ部１１１１の一部に接するように配置される。アンテナ部１１１５についても、アンテナ部１１１１の形状の左右の向きが反対とされた形状にすることができるが、上端側の延長部と下端側の延長部は、ＩＣチップ１１０の接続端子に接続される。裏表紙１２０２を開いた状態においては、ＩＣチップ１１０には、少なくともアンテナ部１１１５に接続される。
【００３２】
図６は、印刷体１２０の表紙１２０１が開かれた状態において、印刷媒体１２１１をめくる段階における印刷体１２０の一部を下面側から見た模式的な下面図である。印刷媒体１２１１をめくる前の段階において、アンテナ部１１１１のうち、印刷媒体１２１１の側面側に位置する部位の先端側は、アンテナ部１１１２の一部に接しており、これにより、アンテナ部１１１１がアンテナ部１１１２、アンテナ部１１１３、アンテナ部１１１４、アンテナ部１１１５を介してＩＣチップ１１０に接続される。そして、印刷媒体１２１１がユーザーによってめくられると、アンテナ部１１１１のうち、印刷媒体１２１１の側面側に位置する部位の先端側は、アンテナ部１１１２から離間され、接しない状態となる。これにより、アンテナ部１１１１は、ＩＣチップ１１０から切断される。
【００３３】
ここで、表紙１２０１がめくられた（開かれた）段階においては、アンテナ部１１１０がアンテナ部１１１１から離間されることで、接しない状態となる。また、印刷体１２０における印刷媒体が全てめくられた状態すなわち、裏表紙１２０２のみが開かれた状態においては、ＩＣチップ１１０は、アンテナ部１１１５のみに接続される。
【００３４】
このように、印刷体（１２０）は、印刷体（１２０）として綴じられる複数の印刷媒体（１２１１、１２１２、１２１３、１２１４）のそれぞれに対し、当該印刷媒体の少なくとも第１の主面に設けられるアンテナ部（１１１１、１１１２、１１１３、１１１４）と、印刷媒体（１２１１、１２１２、１２１３、１２１４）の厚み方向に設けられ、当該印刷媒体に設けられる第１アンテナ部と当該印刷媒体に重なる印刷媒体の第２アンテナ部とを接続可能な接続部（アンテナ部の一部が、印刷媒体の第１の主面から側面側に延びて形成された部位）と、印刷体に設けられ、接続部またはアンテナ部のうち少なくともいずれかに接続されるＩＣチップ（１１０）と、を有する。
【００３５】
上述の実施形態によれば、ユーザーが少なくともいずれかのページを開くと、その開いたページが積み重なり配線されＩＣチップ１１０に接続されたアンテナ部の長さと形状が変化することで、受信装置２０が入力装置１０から受信する受信信号特性が変化する。情報管理装置３０では、予め登録した受信信号特性とページ識別情報の相関関係を表したデータを参照し、受信した電波の受信信号特性に対応するページ識別情報を特定することでユーザーが開いているページを検知し、検知されたページに応じた情報を情報出力装置４０に出力する。これにより、情報出力装置４０において、印刷体１２０の開かれているページに応じた情報が出力される。印刷体１２０のうちいずれのページが開かれていない場合には、開かれたページが０であるとし、これに対応する情報を出力することもできる。
【００３６】
上述した実施形態において、印刷媒体１２１１の裏面側において、次のようにアンテナ部１１１１を設けることもできる。
図７は、印刷媒体１２１１の裏面側のページを正面からみた正面図である。延長部１１１１ａと延長部１１１１ｂは、印刷媒体１２１１のページが閉じられたときに他のページのアンテナ部と接することができれば、印刷媒体１２１１の側面側において厚さ方向に配置されるだけでもよいが、この図においては、アンテナ部１１１１の一部である延長部１１１１ａと延長部１１１１ｂは、印刷媒体１２１１の側面側から印刷媒体１２１１の裏側のページに回り込み、所定の距離まで延長される。また、延長部１１１１ａ及び延長部１１１１ｂは、印刷内容１２１１ｂに重ならない位置に配置されており、印刷媒体１２１１の裏面のページにおいても、意匠性が損なわれることを低減するように配置することができる。この延長部１１１１ａ及び延長部１１１１ｂは、ページが閉じられると、ページが閉じられたときに対向する印刷媒体（例えば、印刷媒体１２１２）に設けられたアンテナ部（例えば、アンテナ部１１１２）の一部（例えば、延長部）に、接する位置に設けられている。これにより、ページが閉じられたときに、他のアンテナ部と接続される確実性を向上させることができる。
ここで、アンテナ部については印刷により形成し、アンテナ部のうち延長部については、金属薄膜等の導電体を用い、アンテナ部に接続するようにしてもよい。
【００３７】
図８は、入力装置１０と受信装置２０との関係を説明する概念図である。入力装置１０は、受信装置２０に対し、ユーザーによって通信可能な範囲内において操作すなわち任意のページが開かれる。入力装置１０は、受信装置２０と通信可能な範囲において、受信装置２０から問い合わせ信号を受信すると、入力装置１０に設けられたＩＣタグに記憶された個体識別情報がアンテナ部から受信装置２０に対して返信（送信）される。このとき、受信装置２０は、入力装置１０から受信した個体識別情報と、個体識別情報を受信した際の受信信号特性に基づいて、どの入力装置１０のどのページが開かれているかあるいは閉じられているかを識別することができる。受信信号特性としては、例えば、受信強度を用いることができる。
【００３８】
ここで、入力装置１０は、受信装置２０との距離が予め決められた距離になる位置において操作されることで、受信信号特性が、受信装置２０における受信条件を満たすことができる。例えば、受信装置２０に、入力装置１０を取り付けるための取り付け冶具が設けられており、この冶具に対し、入力装置１０を取り付けることで、入力装置１０と受信装置２０が所定の距離となるようにすることもできる。入力装置１０と受信装置２０との距離が予め決められた距離において利用されることによって、例えば、入力装置１０の全てのページが閉じられた状態における受信信号特性が、受信装置２０が予め記憶している全てのページが閉じられた状態における基準値と一致させることができ、ページを識別することが可能となる。
【００３９】
また、入力装置１０を利用する際に、受信装置２０との間において、受信信号特性についてキャリブレーションをすることによって、通信可能な範囲内において任意の距離において操作することもできる。
【００４０】
図９は、受信装置２０、情報管理装置３０、情報出力装置４０の機能を説明する概略機能ブロック図である。
この図において、受信装置２０は、受信部２１０を含んで構成される。受信部２１０は、印刷体１２０のアンテナ部を介してＩＣチップ１１０から送信される電波を受信し、受信信号として情報管理装置３０に出力する。この受信部２１０は、複数の印刷体のＩＣチップ１１０から送信される電波を受信する機能も有する。情報管理装置３０は、相関データ記憶部３１０と、判定部３１１と、閲覧情報管理部３１２と、閲覧情報記憶部３１３と、コンテンツ記憶部３１４と、コンテンツ制御部３１５と、通信部３１６とを含んで構成される。相関データ記憶部３１０は、受信信号特性と印刷体におけるページ識別情報との関係を表す相関データを記憶する。
【００４１】
判定部３１１は、受信装置２０から受信した受信信号の受信信号特性と相関データとに基づいて、印刷体の開かれたページに対応するページ識別情報を得る。判定部３１１は、異なる複数の印刷体から受信信号を受信した受信装置２０から、複数の受信信号を受信した場合には、それぞれの受信信号に基づいて、それぞれのページ識別情報を得る。また、判定部３１１は、受信信号に含まれる個体識別情報を得る。閲覧情報管理部３１２は、判定部３１１によって得られた個体識別情報とページ識別情報とこのページ識別情報が得られた時刻（または受信装置２０から受信信号を受けた時刻）とを対応付けて閲覧情報記憶部３１３に記憶する。閲覧情報管理部３１２は、時計機能を有しており、現在時刻を把握することができるようになっている。閲覧情報記憶部３１３は、閲覧情報管理部３１２から出力される情報を記憶する。例えば、閲覧情報記憶部３１３は、個体識別情報と、ページ識別情報と、時刻とを対応付けて記憶する。コンテンツ記憶部３１４は、画像（静止画や動画）や音声等のコンテンツを記憶する。コンテンツ制御部３１５は、閲覧情報管理部３１２によって得られた個体識別情報と、ページ識別情報と、時刻とに基づいて、これらに対応するコンテンツをコンテンツ記憶部３１４から読み出し、通信部３１６を介して情報出力装置４０に送信する。通信部３１６は、受信装置２０と情報出力装置４０とに対し、通信を行うことで、各種情報の送受信を行う。
【００４２】
情報出力装置４０は、受信部４１０と、出力部４１１を含んで構成される。
受信部４１０は、情報管理装置３０から出力されるコンテンツを受信する。
出力部４１１は、表示画面やスピーカ等を有しており、受信部４１０が受信したコンテンツについて、表示画面上に画像を表示したり、スピーカから音声を出力する。
【００４３】
図１０は、相関データ記憶部３１０に記憶される相関データの一例を示す図である。
相関データは、受信信号特性と印刷体におけるページ識別情報とが対応付けられた情報である。例えば、受信信号特性がＡ１である場合、ページ識別情報は、Ｎ１であることが対応付けられている。
また、この相関データとしては、例えば、印刷体のページが全て閉じられた状態において当該印刷体のＩＣチップから送信される電波の受信信号特性を基準とし、開かれるページのそれぞれについての受信信号特性を表す情報を用いてもよい。
【００４４】
図１１は、受信信号特性とページの関係を示すグラフである。受信信号特性として受信強度を用いる場合、印刷体１２０と受信装置２０との距離が変わらない状態においてページを開く場合、開くページに応じて、ＩＣチップに接続されるアンテナ部の長さが変わる。接続されるアンテナ部の長さが変わることで、アンテナ配線部全体の抵抗値等の回路特性が変わる。図３から図７の例においては、表紙側からページを開くと、開くページが増える（進む）ほど、ＩＣチップ１１０に接続されるアンテナの長さが短くなる。そのため、この図に示すように、ページが増える（進む）と受信信号の強度が増大するという関係にある。
【００４５】
図１２は、ページとアンテナ部との関係を説明する模式的な回路図である。ＩＣチップ１１０に対してアンテナ部１１１５が接続されており、背表紙側に重ねられた印刷媒体に設けられたアンテナ部については、それぞれ、アンテナ部１１１５に対して並列に接続される。開かれたページに対応する印刷媒体のアンテナ部については、アンテナ部１１１５とは切断される。このようにして、ＩＣチップ１１０に対して接続されるアンテナ部の全体のアンテナの長さが、開かれるページに応じて変わる。
【００４６】
図１３は、情報出力システム１の動作を説明するシーケンス図である。
まず、ユーザーは、入力装置１０の印刷面を閲覧する場合、受信装置２０と通信可能な範囲内に持って行き、閲覧を行う。受信装置２０は、ＩＣチップ１１０に対する問い合わせ情報を送信する（ステップＳ１０１）。この問い合わせ情報の送信は、一定時間毎に行われる。入力装置１０は、受信装置２０からの問い合わせ情報を受信すると、この問い合わせ情報に対応して、ＩＣチップ１１０に含まれる個体識別情報を含む回答情報を送信する（ステップＳ１０２）。受信装置２０は、この回答情報を受信すると（ステップＳ１０３）、受信した回答情報を情報管理装置３０に送信する（ステップＳ１０４）。情報管理装置３０は、受信した回答情報から個体識別情報とページ識別情報とを取得し、回答情報を受信した時刻を取得する（ステップＳ１０５、Ｓ１０６）。そして、情報管理装置３０は、得られた個体識別情報とページ識別情報と時刻を閲覧情報として記憶する（ステップＳ１０７）。次に、情報管理装置３０は、個体識別情報とページ識別情報と時刻とに応じたコンテンツをコンテンツ記憶部３１４から読み出し（ステップＳ１０８）、読み出したコンテンツを情報出力装置４０に送信する（ステップＳ１０９）。情報出力装置４０は、情報管理装置３０からコンテンツを受信すると（ステップＳ１１０）、コンテンツを表示画面に表示したり、スピーカから音声として出力することで、コンテンツの出力を行う（ステップＳ１１１）。
【００４７】
上述した実施形態によれば、入力装置１０の任意のページを開くあるいは閉じることで、その開かれたページに応じたコンテンツを出力することができる。これにより、ユーザーは、印刷体に印刷された内容と、コンテンツの両方を閲覧することができる。
また、印刷体１２０をユーザーインターフェースとして用い、ユーザーが情報管理装置３０上のソフトウェアを操作することも可能である。すなわち、コンテンツを出力するだけでなく、開かれたページに応じて、情報管理装置３０上のソフトウェアを実行したり、ソフトウェア上の機能に対するコマンドを入力することもできる。例えば、ページ識別情報と実行内容とを記憶する記憶部と、得られたページ識別情報に対応する実行内容を記憶部から読み出し、読み出した実行内容に従って実行する制御部とを情報管理装置３０に設けることで実現することが可能である。
【００４８】
上述した実施形態によれば、ユーザーは、印刷媒体を認識させるための特別な操作をせずに、印刷媒体を閲覧するという一般的な動作を行うことにより、直感的にコンピュータ上のソフトウェアを操作することが可能となる。
【００４９】
また、上述した実施形態によれば、印刷体において、印刷体に取り付けられる装置（例えば、ＩＣチップ）への電源を設ける必要がないため、低コスト、かつ製本化された印刷媒体自体の意匠性を損なわない印刷体を実現できる。また、印刷体１２０と情報管理装置３０との連携を無線で行うことができ、かつ複数の印刷体１２０に対して同時に通信を行うこともできるため、情報出力システム１は、幅広い用途に用いることが可能である。
【００５０】
また、上述の実施形態によれば、閲覧情報の履歴として時刻を含むようにしたので、ユーザーが特定のページを開いている時間を測定することができ、ユーザーの閲覧情報を参照することで、そのユーザーのページ毎の興味の傾向を把握することも可能となる。
【００５１】
なお、上述した実施形態において、以下のような構成を適用することもできる。
例えば、印刷媒体に配置されるアンテナ部は、印刷媒体の外周側に沿って配置される場合について説明したが、無線信号が受信可能な形状であれば他の形状であってもよい。また、アンテナ部が有する２つの延長部については、印刷媒体の上端側近傍と下端側近傍にそれぞれ分かれるように離して設けられる場合について説明したが、上端側あるいは下端側、中央側のいずれかに、２つの延長部を並べて配置するようにしてもよい。また、延長部を配置する位置は、他のアンテナ部と接することが可能な位置にあれば、各印刷媒体で相対的に同じ位置であってもよいし、異なる位置であってもよい。また、２つの延長部を離間する距離は、印刷媒体の一辺の長さの範囲内において、任意に設定するようにしてもよい。また、２つの延長部を配置する位置は、背表紙とは反対側の辺とは別の辺（上端側、下端側、背表紙側の辺）に設けるようにしてもよい。
また、アンテナ部は、略円環状であることが好ましいが、１つのアンテナにおける延長部どうしが接続されていれば、他の形状であってもよい。
【００５２】
また、上述した実施形態においては、延長部が、印刷媒体の一方の主面側から他方の主面側に対して、印刷媒体の端部（側面側）を経由して配置される場合について説明したが、印刷媒体の一方の主面側から他方の主面側に対し、印刷媒体の一部を貫通するようにして配置されるようにしてもよい。
【００５３】
また、上述の実施形態においては、ページが増える（進む）と受信信号の強度が増大する関係にあったが、表紙側にＩＣチップ１１０を配置し、ページが増えると受信信号の強度が減少するようにしてもよい。
【００５４】
また、上述の実施形態においては、入力装置１０と受信装置２０とが予め決められた所定の距離において通信を行う場合について説明したが、入力装置１０と受信装置２０とが通信可能な範囲のうち任意の位置で通信を行う場合や、電波環境によって受信状況が左右される場合においては、キャリブレーションを行うようにしてもよい。
例えば、受信状態に関して受信装置２０の較正（キャリブレーション）を行うプログラムをソフトウェアに組み込み、受信装置２０に実行させる。そして、ユーザーが印刷体を閲覧前に印刷体を閉じた状態、つまりアンテナ配線の長さが最大の状態で受信装置２０に回答情報を受信させ、受信した受信信号に基づいて、基準となる受信信号強度を測定する。そして、その基準となる受信信号強度に応じて、該当する相関データテーブルの値（受信信号強度）をシフトし、ページ識別情報と照合を行うようにしてもよい。
【００５５】
上述した実施形態における情報管理装置３０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【００５６】
以上、この発明の実施形態について図面を参照して詳述してきたが、具体的な構成はこの実施形態に限られるものではなく、この発明の要旨を逸脱しない範囲の設計等も含まれる。
【符号の説明】
【００５７】
１  情報出力システム
１０  入力装置
２０  受信装置
３０  情報管理装置
４０  情報出力装置
１１０  ＩＣチップ
１１１、１１１０、１１１１、１１１２、１１１３、１１１４、１１１５  アンテナ部
１２０  印刷体
１２１１、１２１２、１２１３、１２１４  印刷媒体
３１０  相関データ記憶部
３１１  判定部
３１２  閲覧情報管理部
３１３  閲覧情報記憶部
３１４  コンテンツ記憶部
３１５  コンテンツ制御部
３１６  通信部
【図１】
0006597400.tif 000002
【図２】
0006597400.tif 000003
【図３】
0006597400.tif 000004
【図４】
0006597400.tif 000005
【図５】
0006597400.tif 000006
【図６】
0006597400.tif 000007
【図７】
0006597400.tif 000008
【図８】
0006597400.tif 000009
【図９】
0006597400.tif 000010
【図１０】
0006597400.tif 000011
【図１１】
0006597400.tif 000012
【図１２】
0006597400.tif 000013
【図１３】
0006597400.tif 000014